(57)【特許請求の範囲】
【請求項１】
外郭を形成する本体と、
この本体の内部に配置され、衣類が収容される回転槽と、
圧縮機、蒸発器及び凝縮器を冷媒管により接続してなるヒートポンプを有し、前記回転槽内の衣類を乾燥させる乾燥装置とを備え、
前記圧縮機、蒸発器及び凝縮器は、被支持部を有する共通のベースに配設されて、前記ベースと共にヒートポンプユニットを構成し、
前記ヒートポンプユニットは、前記本体の側面に設けられた支持部に対し弾性体を介して前記被支持部で支持されることにより、前記本体の底面部から離間した柔支持状態で着脱可能に取り付けられていることを特徴とする洗濯乾燥機。
【請求項２】
本体は、ヒートポンプユニットのベースを摺動自在にガイドする摺動部を備え、
前記摺動部は、被支持部が支持部に弾性体を介して支持される前記ヒートポンプユニットの支持位置に対して、当該ヒートポンプユニットを近接及び離間させる方向へガイドするように延設されていることを特徴とする請求項１記載の洗濯乾燥機。
【請求項３】
被支持部および支持部のうち何れか一方は、ヒートポンプユニットを取り付ける際に支持位置に誘導するテーパ状の誘導凹部とされ、
他方は、前記ヒートポンプユニットの前記支持位置で、前記誘導凹部に弾性体を介して嵌合する嵌合凸部とされていることを特徴とする請求項１または２記載の洗濯乾燥機。
【請求項４】
摺動部のガイド長さを、ヒートポンプユニットの支持位置においてベースと前記摺動部との間の係合状態が外れ且つ前記摺動部から前記ベースが離間するように設定したことを特徴とする請求項２または３記載の洗濯乾燥機。
【請求項５】
摺動部は平面視において、直線的なレール状に形成され、前記摺動部の延長線上に少なくとも１つの支持部が位置するように構成されていることを特徴とする請求項２乃至４の何れかに記載の洗濯乾燥機。
【請求項６】
ベースには、ヒートポンプユニットの取り出し方向手前側に位置して取手が設けられていることを特徴とする請求項１乃至５の何れかに記載の洗濯乾燥機。
【請求項７】
ベースの底面には、本体外へ取り外されたヒートポンプユニットを水平状態に設置するための脚部が設けられていることを特徴とする請求項１乃至６の何れかに記載の洗濯乾燥機。
【請求項８】
ベースの底面に対し所定距離、離間したリブを、前記本体の底面部に設けたことを特徴とする請求項１乃至７の何れかに記載の洗濯乾燥機。
【請求項９】
ヒートポンプユニット側のリード線と本体側のリード線とをコネクタにて接続し、且つ前記コネクタを前記ヒートポンプユニットの取り出し方向手前側に配置したことを特徴とする請求項１乃至８の何れかに記載の洗濯乾燥機。
【請求項１０】
予め記憶されている複数の運転コースを選択的に実行する運転実行手段を備え、
前記運転実行手段は、ヒートポンプユニットが本体に取り付けられていない場合、前記複数の運転コースのうち前記ヒートポンプユニットを用いた運転コース以外の運転コースのみの実行が可能に構成されていることを特徴とする請求項１乃至９の何れかに記載の洗濯乾燥機。
【発明の詳細な説明】
【技術分野】
【０００１】
本発明は、衣類の乾燥用にヒートポンプを備えた洗濯乾燥機に関する。
【背景技術】
【０００２】
従来より、上記洗濯乾燥機においては、例えば、洗濯物などの衣類を乾燥させる際に発生する水分をエバポレータ（蒸発器）で回収し、その折りに回収した潜熱をコンプレッサ（圧縮機）により高温の冷媒状態に変換し、コンデンサ（凝縮器）で空気を加熱するエネルギーとして再利用している。このように、ヒートポンプは僅かな放熱ロスがある以外、ほとんどのエネルギーを逃がさず再利用でき、エネルギーの省減に効果があるものとして知られている。
【０００３】
ところで、この種の洗濯乾燥機にあっては、例えば、外郭をなす本体内に配設された水槽と、この水槽内に回転可能に設けられた回転槽とを備えると共に、本体の底部（台板）にユニットベースを設け、このユニットベースに、圧縮機、蒸発器及び凝縮器を配設したものがある（例えば、特許文献１参照）。即ち、これら圧縮機、蒸発器及び凝縮器は、共通のユニットベースに設けられることでユニット化されているため、製造工程におけるヒートポンプの組立を容易に行うことができる。また、この洗濯乾燥機では、ユニットベースと台板との間にゴム製の脚が設けられており、圧縮機の作動によるヒートポンプユニットの振動が抑制されるようになっている。
【特許文献１】特開２００６−２３０８８７号公報
【発明の開示】
【発明が解決しようとする課題】
【０００４】
特許文献１では、ユニットベースが脚を介して台板上に載置されるように設けられることから、例えばユニットベースや脚を下向きに貫通する螺子を台板に螺挿する等して、ヒートポンプユニットを取り付け固定する必要がある。従って、このものにおいてヒートポンプユニットが故障した場合を仮定すると、本体内の水槽等を取り外した後、ヒートポンプユニットを取り外すこととなり、大掛かりな分解修理を余儀なくされる虞がある。このように、上記構成では、ヒートポンプユニットの振動を抑制することができるが、上述のメンテナンス性を改善する有効な手段がなく対策に苦慮しているのが実情である。
【０００５】
本発明は上記事情に鑑みてなされたものであり、その目的はヒートポンプユニットの振動を極力抑制することができるとともに、本体に対するヒートポンプユニットの着脱を容易に行うことができる洗濯乾燥機を提供するにある。
【課題を解決するための手段】
【０００６】
上記の目的を達成するために本発明は、外郭を形成する本体と、この本体の内部に配置され、衣類が収容される回転槽と、圧縮機、蒸発器及び凝縮器を冷媒管により接続してなるヒートポンプを有し、前記回転槽内の衣類を乾燥させる乾燥装置とを備え、前記圧縮機、蒸発器及び凝縮器は、被支持部を有する共通のベースに配設されて、前記ベースと共にヒートポンプユニットを構成し、前記ヒートポンプユニットは、前記本体の側面に設けられた支持部に対し弾性体を介して前記被支持部で支持されることにより、前記本体の底面部から離間した柔支持状態で着脱可能に取り付けられていることを特徴とする。
【発明の効果】
【０００７】
上記構成によれば、支持部を本体の側面に設けることで、ヒートポンプユニットの取り付け・取り外しを本体の側面側から行うことができ、ヒートポンプユニットの着脱作業の簡単化を図ることができる。また、ヒートポンプユニットを本体の底面部から離間した状態で柔支持することで、圧縮機の動作時に、ヒートポンプユニットが本体に及ぼす力を支持部、つまり本体の側面部において効果的に吸収、減衰することができる。
【発明を実施するための最良の形態】
【０００８】
＜第１実施例＞
以下、本発明をドラム式の洗濯乾燥機に適用した第１実施例について図１乃至図１２を参照しながら説明する。そのうち、図１は洗濯乾燥機全体の外観斜視図、図２はその概略的な縦断側面図を示している。ここで、洗濯乾燥機の外郭を形成する本体１は、正面の前面板２、左右の側面板３ａ，３ｂ、後面板４、上部の天面板５、底部の台板６等を組立て結合した構成からなり、全体として矩形箱状をなしている。例えば前面板２は、詳細には上部に操作パネル７を有すると共にその下位にドア８を具えるドア枠２ａ、最下部に吹出し口９を有する下部枠２ｂ等の構成部材を連結してなる。この下部枠２ｂは、ドア枠２ａと台板６との間に位置し、図示しない螺子により固定されることで、開放された台板６の前面（図２、図４参照）を閉塞するように構成されている。斯かる構成の前面板２は、全体に後方に傾斜し緩やかな円弧状をなすとともに、各構成部材からなる外表面は略面一となるように、所謂整合した形態をなしている。
【０００９】
この本体１の内部には、実質的に無孔状で円筒状をなす水槽１０、及び周壁に多数の透孔１１ａを有し横軸周りに回転可能なドラム（回転槽）１１が同心状に配設されている。水槽１０は弾性支持装置１２を介して本体１の台板６上に弾性支持されており、当該水槽１０及びドラム１１は、共に前面側（図示左側）を大きく開口して、前記ドア８と対向し且つ若干前上がりの傾斜状態となるように配置されている。しかして、ドア８の開放口と水槽１０の前面開口との間は衣類（洗濯物）の投入口として機能するとともに、弾性的に伸縮可能なベローズ１３が水密に連結され、水槽１０側から本体１内への水の漏洩等を防止する閉空間を形成している。
【００１０】
ドラム１１の胴部には洗濯物をかき上げるための複数のバッフル１４が形成されており、該ドラム１１が回転駆動されることで特に洗いや乾燥時等に洗濯物を撹拌するに有用とされている。このドラム１１は、水槽１０の背面に設けられたモータ１５にてダイレクトに駆動される。このモータ１５は、例えばアウタロータ形のＤＣブラシレスモータからなり、そのロータに連結された回転軸１６に、水槽１０を貫通してドラム１１が直結されている。また、水槽１０底部の後方最下部には、排水口１７が形成され途中に排水弁１８を介した排水管１９が連通接続され、その先端側は機外たる本体１から外部に導出され所定の排水場所に排水可能とする排水手段を構成している。
【００１１】
一方、水槽１０には相互に離間した位置に空気の出入口が設けられ、この出入口に連通接続して水槽１０内の空気を循環可能とする循環ダクト２０が設けられている。例えば、本実施例における出口２１は水槽１０の前面側の上位に形成され、入口２２は水槽１０の背面側で開口するように形成されており、これらに接続された循環ダクト２０は、水槽１０の下方を迂回して連通するように構成されている。具体的には、循環ダクト２０は、水槽１０の出口２１に接続された排気ダクト２３、同入口２２に接続された給気ダクト２４、これら両ダクト２３，２４の下方の端部に夫々接続された伸縮継手２５ａ，２５ｂ、一方の伸縮継手２５ａ側に接続された中間ダクト２６、この中間ダクト２６と他方の伸縮継手２５ｂとの間に配設された熱交換ダクト２７及びファンケーシング２８を備えている。
【００１２】
そのうち、熱交換ダクト２７の前部および後部には開口部２７ａ，２７ｂが形成されており、前部の開口部２７ａに中間ダクト２６が接続されると共に後部の開口部２７ｂにファンケーシング２８が接続されている。尚、開口部２７ｂの周縁部には弾性体たるパッキン２９（図２にのみ図示）が設けられており、パッキン２９により熱交換ダクト２７とファンケーシング２８とが気密状態で弾性的に接合されている。また、詳しくは後述するように、熱交換ダクト２７はヒートポンプを備え、本体１に対し該ヒートポンプごと着脱されるようになっている。
【００１３】
ファンケーシング２８の内部には、送風ファン２８ａを有する送風機が配設されている。この送風機は、送風ファン２８ａの回転により、給気ダクト２４から水槽１０へ向う矢印Ｄ１方向への循環空気を生成し水槽１０内へ空気を循環供給させる。
【００１４】
前記ヒートポンプは、周知のように圧縮機３１、凝縮器３２、膨張弁（絞り弁、図６参照）３３及び蒸発器３４を、これらの順に冷媒管３５によりサイクル接続してなり、圧縮機３１の作動によって冷媒を循環させ乾燥用（乾燥運転時）の温風を生成する。ここで、送風ファン２８ａにより循環する空気は、凝縮器３２にて加熱されて温風化される。この温風は、給気ダクト２４を経て水槽１０の入口２２から供給され、ドラム１１内で洗濯物の水分を奪った後、前面の出口２１から排気ダクト２３を経て熱交換ダクト２７に回収される。回収された空気は、蒸発器３４で冷却されて除湿され、再び凝縮器３２に至り加熱されて温風として循環利用される。斯かるヒートポンプは、前記送風機及び循環ダクト２０と共に本発明の乾燥装置を構成する。
【００１５】
また、本実施例の洗濯乾燥機は、中間ダクト２６に本体１外へ連通する吹出通路３６が設けられると共に、所謂、冷暖房機能を発揮する手段（冷暖房手段）を備えている。具体的には、吹出通路３６は、熱交換ダクト２７に対して排気ダクト２３側と分岐する位置に形成されており、下部枠２ｂの吹出し口９に連通している。吹出通路３６には、図示しないモータにて駆動される円筒状の横流ファンからなる送風ファン３８と、該ファン３８の吹出し口９側を開閉する円弧状ルーバー３７とが配設されていて、熱交換ダクト２７の吸入口（図示せず）等から該ダクト２７内に取り込まれた空気を、蒸発器３４を通して冷却して冷風とし、或は熱交換ダクト２７に配設されたヒータ（図示せず）にて加熱して温風とし、これらを選択的に吹出通路３６を介して吹出し口９から本体１外へ吹出し可能としている。尚、中間ダクト２６には循環ダクト２０と吹出通路３６とを選択的に開閉するダンパ（図示せず）が設けられており、上記の冷風（或は温風）は、該ダンパにより循環ダクト２０側が閉鎖されることで図２中、破線矢印Ｄ２方向に流れ、ルーバー３７による開放状態の吹出し口９から本体１外に吹出され、洗濯乾燥機が設置された室内スペースを冷房（暖房）する。他方、前述した乾燥運転時には、ダンパにより吹出通路３６側を閉塞して、水槽１０内を循環する矢印Ｄ１方向への温風の流れを阻害しないようにしている。
【００１６】
中間ダクト２６には、その上部たる上流側に位置して、循環ダクト２０内を循環する空気から糸屑などのリントを捕獲するフィルタ装置３９が設けられている。このほか、本体１内の上部には、制御装置４１、給水弁（図示せず）、給水ケース４４、給水ホース４５等が設けられている。
【００１７】
ここで、前記操作パネル７の機能につき具体的に説明すると、図３の正面図に示すように大略、操作部４６、表示部４７を有した構成としている。操作部４６は、押圧可能に設けた電源スイッチキー４８、押釦４９及びスイッチキー群５０と、押釦４９の周囲部分を回動可能に設けた時間設定用のダイヤル４９ａとから構成されている。そのうち、電源スイッチキー４８は、周知のように洗濯乾燥機の電源の入切を行うためのものであり、押釦４９は、選択された運転コースの開始及び実行中の運転コースの一時停止を行うためのものである。スイッチキー群５０は、スイッチキー５０ａ，５０ｂ，５０ｃ，５０ｄからなり、その押圧操作されたスイッチキーに対応した「洗濯」「洗乾」「乾燥」及び「冷風／温風」の各運転コースが選択される。ダイヤル４９ａは、その回転操作量に応じて前記冷暖房運転の時間や運転コースのコース内容等の設定が可能に構成されている。
【００１８】
また、操作パネル７には、他にも「洗い」「すすぎ」「脱水」「乾燥」を選択できるボタン等が設けられ、個々の運転時間等を調整可能としている。
さて、前記圧縮機３１、凝縮器３２、膨張弁３３及び蒸発器３４は、共通のベース５１に配設されて、該ベース５１と共にヒートポンプユニット５２を構成し、ヒートポンプユニット５２は、本体１に対し熱交換ダクト２７ごと着脱されるようになっている。このヒートポンプユニット５２と熱交換ダクト２７の構成につき、図４乃至図１０も参照して詳述する。ここで図４及び図５は、熱交換ダクト２７を台板６から取外した状態の斜視図、及び同台板６の平面図である。また、図６はヒートポンプユニット５２の背面側からの斜視図、図７は、図５中Ａ−Ａ線に沿って切断し矢視方向から見たヒートポンプユニット５２及び台板６の断面図である。
【００１９】
熱交換ダクト２７は、例えば合成樹脂製のベース５１とカバー５４とからなり、全体として箱状に形成されている。前記ベース５１は、図２、図４、図６等に示すように底壁部５１ａとその前端部に設けられた前壁部５１ｂとを一体に有する。一方、カバー５４は、その開放された前面部及び底面部がベース５１の前壁部５１ｂ及び底壁部５１ａに閉塞されるように配置され、該ベース５１に図示しない螺子により固定されている。上記した熱交換ダクト２７の開口部２７ａ及び２７ｂは、夫々ベース５１の前壁部５１ｂ（図４参照）及びカバー５４の後壁部（図２参照）においてやや左寄りの位置に設けられており、蒸発器３４と凝縮器３２は、ベース５１の左寄りの位置に配置されることで熱交換ダクト２７の内部に介在している。
【００２０】
他方、圧縮機３１は内部に圧縮機モータを備えており、蒸発器３４や凝縮器３２に比し高さ方向に大きく、ベース５１の右前隅部に配置されている。ここで、カバー５４及びベース５１は、その内部の閉空間Ｓ（図７参照）に圧縮機３１を収容することで圧縮機３１の騒音を抑制すると共に、圧縮機３１に対応する部分のみ上側に突出するコンパクトな形状をなすように構成されている。図６、図７に示すように、圧縮機３１は、その下部に配設された３箇所の取付部５５において、弾性機構たる防振支持脚５６を介してベース５１に柔支持されている。詳細には、防振支持脚５６は、上部弾性体５６ａ及び下部弾性体５６ｂと、それらのフランジ部により上下に挟持されたスプリング５６ｃとを備えている。圧縮機３１は、取付部５５及び防振支持脚５６を上下に貫通する螺子５７ａが、ベース５１の圧縮機用脚部５７に螺挿されることで取り付けられている。
【００２１】
ヒートポンプユニット５２に配置された電気部品（圧縮機モータ等）のリード線は、図４に示すように当該ユニット５２が本体１から着脱されることから、そのヒートポンプユニット５２側のリード線５２ａと本体１側のリード線１ａとをコネクタ１ｂ，５２ｂにて接続している。この場合、リード線５２ａはヒートポンプユニット５２の前側に案内され、リード線１ａは台板６の前側に案内されており、本体１の前面側において、リード線１ａのコネクタ１ｂに対するリード線５２ａのコネクタ５２ｂの係脱が可能に構成されている。
【００２２】
また図６に示すように、ベース５１の底壁部５１ａの下面側には、「Ｌ」の字状をなす一対の左側脚部５８ａ，５８ｂと、圧縮機用脚部５７の前側に配置された右側脚部５８ｃとが一体的に形成されている。これら左側脚部５８ａ，５８ｂ、右側脚部５８ｃ及び３つの圧縮機用脚部５７は本発明の脚部を構成し、本体１外へ取り出されたヒートポンプユニット５２を水平状態に設置すべく、何れもベース５１の底面から下方に突出する形状をなしている。
【００２３】
ベース５１の前壁部５１ｂには、ヒートポンプユニット５２を取り外す際に把持する為の取手５９が設けられている。この取手５９は、前壁部５１ｂの右部つまり比較的重量物とされる圧縮機３１側寄りに位置し、且つ後方に窪む凹部を形成することにより前壁部５１ｂと一体的に構成されている。また、詳しくは後述するように、ベース５１は、その後部に設けられたテーパ状の後側被支持部６０ａ，６０ｂ，６０ｃ（何れも図６参照）と、前部に設けられた略円筒状の前側被支持部６１ａ，６１ｂ，６１ｃと、底壁部５１ａに設けられたレール状の被摺動部６２ａ，６２ｂ，６２ｃとを一体に有して構成されている。尚、図７、図１０に示すように、前側被支持部６１ａ，６１ｂ，６１ｃの外面部には、肉盗み部６１ｄが設けられている。
【００２４】
図４、図５に示すように、前記台板６の上面部及び前面部は開放されており、後部には、ファンケーシング２８が固定されている。前記台板６は例えば合成樹脂からなり、その側面には、ヒートポンプユニット５２を着脱可能に支持する為の後側支持部６３ａ，６３ｂ，６３ｃと、前側支持部６４ａ，６４ｂ，６４ｃとが一体的に設けられている。これら支持部６３ａ〜６４ｃは何れも台板６の底面部６５から上方に突出する形状をなし、且つその側面部を用いてヒートポンプユニット５２を台板６の底面部６５から離間した状態で支持するようになっている。
【００２５】
詳細には、後側支持部６３ａは、図９（図１２中、Ｐ２部分の拡大図）に示すように、前側が径大な台形円筒状（テーパ状）の誘導凹部とされている。この後側支持部６３ａに対し、弾性体たるゴム製のブッシュ６６を介して、ベース５１の後側被支持部（嵌合凸部）６０ａが前側から挿入されて嵌合保持される位置（以下、支持位置と称す、図９（ｂ）、図１２（ｂ）参照）まで誘導される。尚、後側支持部６３ｂ，６３ｃは後側支持部６３ａと同様に構成され、後側被支持部６０ｂ，６０ｃは後側被支持部６０ａと同様に構成されているため、その説明を省略する。
【００２６】
他方、図８（図１２中、Ｐ１部分の拡大図）に示すように、前側被支持部６１ａの前側と後側には、夫々弾性体たるゴム製のブッシュ６７ａ，６７ｂが配設されている。これら前側被支持部６１ａ及びブッシュ６７ａ，６７ｂに前後方向（水平方向）に挿通された螺子（支持部に相当する）６８が、前側支持部６４ａに螺挿されている。尚、前側被支持部６１ｂ，６１ｃは前側被支持部６１ａと同様に構成され、前側支持部６４ｂ，６４ｃは前側支持部６４ａと同様に構成されているため、その説明を省略する。これにより、ベース５１ひいてはヒートポンプユニット５２が台板６の底面部６５から離間した柔支持状態で着脱可能に取り付けられている。また、上記した支持部６３ａ〜６４ｃは、その左右方向の間隔（ピッチ）が右側つまり圧縮機３１側で狭められており、ヒートポンプユニット５２を安定的に支持するようになっている。尚、本実施例ではベース５１を支持部６３ａ〜６４ｃにより６箇所で支持したが、支持部（或は被支持部）の数は適宜変更してもよい。
【００２７】
台板６の底面部６５には、ベース５１の被摺動部６２ａ，６２ｂ，６２ｃを摺動自在にガイドする摺動部７０ａ，７０ｂ，７０ｃが一体的に設けられている。これら摺動部７０ａ〜７０ｃは例えば、台板６の前端部から後方へ向って延びており、ヒートポンプユニット５２を水平方向たる前後方向へガイドするように延設されている。摺動部７０ａ〜７０ｃは平面視（図５参照）において、直線的なレール状に形成され、摺動部７０ａ，７０ｂの延長線上に後側支持部６３ａ，６３ｂが夫々位置するように構成されている。また、摺動部７０ａ〜７０ｃの上面部には、肉盗み部７０ｄ（図１０参照）が設けられている。
【００２８】
この摺動部７０ａ〜７０ｃのガイド長さは、ヒートポンプユニット５２を取り付ける際に支持位置において（図１２（ｂ）参照）、被摺動部６２ａ〜６２ｃと摺動部７０ａ〜７０ｃとの間の係合状態が外れ且つ摺動部７０ａ〜７０ｃから各摺動部７０ａ〜７０ｃが離間するように設定されている。換言すれば、摺動部７０ａ〜７０ｃは、ベース５１の後側被支持部６０ａ〜６０ｃが後側支持部６３ａ〜６３ｃに誘導される過程で被摺動部６２ａ〜６２ｃから離間して、支持位置のヒートポンプユニット５２に対し非接触状態となるよう、被摺動部６２ａ〜６２ｃに応じた所定の長さ寸法（図５中、Ｌａ〜Ｌｃで示す）及び所定の高さ寸法（図１０中、Ｌｈで示す）に設定されている。他方、被摺動部６２ａ〜６２ｃは、ベース５１の底壁部５１ａの後部に設けられると共に、正面視（図１０参照）において下側が開放された「コ」の字状に形成され、摺動部７０ａ〜７０ｃを夫々左右両側から挟んだ係合状態で摺動する。また、後側被支持部６０ａ，６０ｂは平面視において、被摺動部６２ａ，６２ｂの延長線上に延びるように後方へ突出している。
【００２９】
尚、本実施例では３箇所に摺動部７０ａ〜７０ｃを設けたが、摺動部及び被摺動部の数は適宜変更してもよい。また、摺動部７０ａ，７０ｂｃの延長線上に後側支持部６３ａ，６３ｂを夫々設けたが、当該延長線上に少なくとも１つの支持部が位置するように構成されていればよい。
【００３０】
続いて、本実施例の電気的構成について説明する。前記制御装置４１は例えば、マイクロコンピュータを主体に構成されていて、洗い、脱水、乾燥運転、冷暖房運転等の各種運転コースを実行する運転実行手段として機能すると共に洗濯乾燥機の作動全般を制御する。即ち、制御装置４１は、操作パネル７の操作部４６にて設定された操作信号や、図示しない水位センサや温度センサからの各検知信号等を入力し、各種運転コースプログラム等の予め記憶された制御プログラムに基づき、ドラム１１を駆動するモータ１５、圧縮機３１等の冷凍サイクル、循環用の送風ファン２８ａ、送風ファン３８等の冷暖房手段、排水弁１８、や前記給水弁などを駆動制御する。
【００３１】
また、制御装置４１は、後述するようにヒートポンプユニット５２が取り出された場合、操作部４６における乾燥運転及び冷暖房運転に係る操作（設定操作や開始操作）を無効とするように構成されている。具体的には、制御装置４１は例えば、コネクタ１ｂ，５２ｂにおける両リード線１ａ，５２ａの接続の有無を検出することで、ヒートポンプユニット５２が本体１に取り付けられているか否かを判断する。そして、制御装置４１は例えば、スイッチキー５０ｂ，５０ｃ，５０ｄによって乾燥運転や冷暖房運転を行う運転コースが選択操作された時、本体１に対するヒートポンプユニット５２の着脱の有無を判断し、当該ユニット５２が取り外されている場合には、スイッチキー５０ｂ，５０ｃ，５０ｄの操作を無効化する機能を備える。尚、この機能は、ヒートポンプや冷暖房手段を用いた運転コースについて、その運転開始操作を無効化するものであればよい。
【００３２】
次に、上記構成の洗濯乾燥機の作用について説明する。
洗濯から乾燥まで自動で行う標準的な運転コースを選択する場合、操作部４６の「洗乾」コースのスイッチキー５０ｂを押圧操作する。次いで、押釦４９を押圧操作することで、洗濯運転が開始される。この洗濯運転ではモータ１５に直結されたドラム１１の回転速度の制御を中心に洗い、すすぎ、脱水の各行程が自動的に実行され、最後に乾燥運転に移行する。
【００３３】
この乾燥運転では、送風ファン２８ａが駆動されることで循環ダクト２０内を空気が循環し、該空気に対しヒートポンプを駆動することで温風化し、その温風を水槽１０及びドラム１１へ循環供給する（図１の矢印Ｄ１方向）。即ち、ヒートポンプの作動により、冷媒が圧縮機３１により圧縮されて高温高圧の冷媒となり、凝縮器３２に流れる。そこで、熱交換ダクト２７を流れる空気と熱交換し、その結果、空気が加熱温風化され、反対に冷媒の温度は低下して液化される。この液化された冷媒が、次に膨張弁３３を通って減圧された後、蒸発器３４に流入し気化する。これにより、蒸発器３４は熱交換ダクト２７を流れる空気を冷却する。蒸発器３４を通過した冷媒は圧縮機３１に戻る。従って、水槽１０内から熱交換ダクト２７内に流入した空気は、蒸発器３４で冷却されて除湿され、その後に凝縮器３２で加熱されて温風化される。そして、この温風は、給気ダクト２４を経て入口２２から水槽１０（ドラム１１内）に供給され、洗濯物の水分を奪った後、出口２１から排気ダクト２３及び中間ダクト２６を経て熱交換ダクト２７内に流入する。こうにして、蒸発器３４と凝縮器３２を有する熱交換ダクト２７と水槽１０との間を空気（温風）が循環することにより、ドラム１１内の洗濯物が乾燥される。以上により、洗濯から乾燥まで自動で行う標準的な運転コースの動作が終了する。
【００３４】
尚、「洗濯」コースのスイッチキー５０ａを選択実行した場合には、上記した洗濯運転（洗い行程から脱水工程）が実行され、「乾燥」コースのスイッチキー５０ｃを選択実行した場合には、上記した乾燥運転（乾燥行程）のみが実行される。「冷風／温風」コースのスイッチキー５０ｄは押圧操作する毎に、「停止」状態から「冷房」−「暖房」−「停止」の順に設定され、その選択操作により冷房あるいは暖房運転が実行される。
【００３５】
続いて、ヒートポンプユニット５２を着脱する際の手順について、図１１、図１２も参照しながら説明する。ここで、図１１は説明の便宜上、本体１上部の構成を省略して示しており、ヒートポンプユニット５２を取り外す場合には、先ず螺子固定された下部枠２ｂを外す（同図（ａ）参照）。これにより、本体１の前面下部が大きく開口して、ヒートポンプユニット５２の水平方向の移動を許容する開口部７１（図２参照）が形成される。次いで、伸縮継手２５ａと熱交換ダクト２７との間に配設された中間ダクト２６を、開口部７１を通して取外す。そして、図１１（ｂ）に示すように、ヒートポンプユニット５２の前面側で、前記両コネクタ１ｂ，５２ｂを外すと共に３つの螺子６８を外すことで、ヒートポンプユニット５２の引き出し（取り出し）が可能な状態となる。
【００３６】
そこで、ベース５１の取手５９を把持し、ヒートポンプユニット５２をカバー５４と共に手前側へ引き出して、ヒートポンプユニット５２を支持位置から前方へ移動させる。この場合、図９（ａ）に示すようにベース５１の後側被支持部６０ａ〜６０ｃがブッシュ６６を介して後側支持部６３ａ〜６３ｃの内周面を伝う過程で、ヒートポンプユニット５２が斜め前下方に移動しながら摺動部７０ａ〜７０ｃと係合するため、台板６の底面部６５から離間した状態のヒートポンプユニット５２を円滑に引き出すことができる。尚、  図１０、図１２（ａ）はこの摺動部７０ａ〜７０ｃと被摺動部６２ａ〜６２ｃの係合状態を示している。こうして、ヒートポンプユニット５２は、摺動部７０ａ〜７０ｃによりガイドされながら前方へ摺動するように移動され（図１１（ｃ）参照）、開口部７１から本体１外へ引き出される（図１１（ｄ）参照）。
【００３７】
他方、ヒートポンプユニット５２の取り付けも、本体１の前面側において開口部７１を通して行うことができる。即ち、開口部７１近傍で摺動部７０ａ〜７０ｃに対し、ヒートポンプユニット５２の被摺動部６２ａ〜６２ｃを係合させる。次いで、ベース５１の取手５９を把持し、ヒートポンプユニット５２をカバー５４と共に奥方に押し込むことで後方へ摺動させる（図１１（ｃ）参照）。ここで、摺動部７０ａ，７０ｂの延長線上に後側支持部６３ａ，６３ｂが設けられているため、このヒートポンプユニット５２の組み込み時に、後側支持部６３ａ，６３ｂに対し後側被支持部６０ａ，６０ｂ（ブッシュ６６）の先端部が確実に挿入され、以ってヒートポンプユニット５２全体が支持位置側を指向するように誘導される。また、図９（ａ）に示すように後側被支持部６０ａ〜６０ｃがブッシュ６６を介して後側支持部６３ａ〜６３ｃの内周面に誘導される過程で、ヒートポンプユニット５２が斜め後上方に移動しながら摺動部７０ａ〜７０ｃと離間する。そして、後側被支持部６０ａ〜６０ｃは図９（ｂ）に示すような嵌合状態となる。
【００３８】
更に、ヒートポンプユニット５２の前部を取手５９で持ち上げることにより、前側支持部６４ａ〜６４ｃに対する前側被支持部６１ａ〜６１ｃの位置決めを行い、前側被支持部６１ａ〜６１ｃ及びブッシュ６７ａ，６７ｂに挿通した螺子６８を、前側支持部６４ａ〜６４ｃに夫々螺挿する（図８、図１１（ｂ）参照）。これにより、図１２（ｂ）に示すように、ヒートポンプユニット５２が台板６の底面部６５から離間した状態で柔支持される。そして、前記両コネクタ１ｂ，５２ｂを接続すると共に、伸縮継手２５ａと熱交換ダクト２７との間に中間ダクト２６を取り付けた後、開口部７１を塞ぐ下部枠２ｂを螺子固定する。以上のように、本体１に対しヒートポンプユニット５２を簡単に着脱することができる。
【００３９】
ところで、本体１からヒートポンプユニット５２を取り外した場合、「洗乾」「乾燥」及び「冷風／温風」コースのスイッチキー５０ｂ，５０ｃ及び５０ｄを選択操作しても、この操作は無効とされ、乾燥運転や冷暖房運転が行われることはないが、「洗濯」コースのスイッチキー５０ａを選択実行して洗濯運転を行うことができる。
【００４０】
以上説明したように、ヒートポンプユニット５２は、本体１の側面に設けられた支持部６３ａ〜６４ｃ及び螺子６８に対し、弾性体としてのブッシュ６６〜６７ｂを介して被支持部６０ａ〜６１ｃで支持されることにより、本体１の底面部６５から離間した柔支持状態で着脱可能に取り付けられている。これによれば、支持部６３ａ〜６４ｃを本体１の側面に設けることで、ヒートポンプユニット５２の取り付け・取り外しを本体１の側面側から行うことができ、ヒートポンプユニット５２の着脱作業の簡単化を図ることができる。また、ヒートポンプユニット５２を本体１の底面部６５から離間した状態で柔支持することで、圧縮機３１の動作時に、ヒートポンプユニット５２が本体１に及ぼす力を支持部６３ａ〜６４ｃ、つまり本体１の側面部において効果的に吸収、減衰することができる。  尚、この種の圧縮機３１は、内部のモータが縦軸周りに回転し、その動作時の振動が縦方向に比し横方向に大きくなるのが一般である。つまり、上記柔支持構造によれば、その圧縮機３１の横方向の振動を本体１の側面部で柔支持することができ、圧縮機３１の動作による振動を騒音や騒音をより効果に抑制することができる。更に本実施例において圧縮機３１は、防振支持脚５６により一次的（直接的）に柔支持され、ブッシュ６６〜６７ｂを介して本体１の側面部で二次的（間接的）に柔支持されるので、前述した効果を一層高めることができる。
【００４１】
本体１は、ヒートポンプユニット５２のベース５１を摺動自在にガイドする摺動部７０ａ〜７０ｃを備え、これら摺動部７０ａ〜７０ｃは、ヒートポンプユニット５２の支持位置に対して、当該ユニット５２を近接及び離間させる方向へガイドするように延設されている。従って、ヒートポンプユニット５２を、摺動部７０ａ〜７０ｃにより支持位置側あるいは本体１外側へガイドして摺動させることができ、ヒートポンプユニット５２の着脱を安定した状態で簡単に行うことができる。
【００４２】
後側支持部６３ａ〜６３ｃを、ヒートポンプユニット５２を取り付ける際に支持位置に誘導するテーパ状の誘導凹部とし、後側被支持部６０ａ〜６０ｃを、ヒートポンプユニット５２の支持位置で、前記誘導凹部に弾性体たるブッシュ６６を介して嵌合する嵌合凸部とした。これによれば、ヒートポンプユニット５２を、誘導凹部の誘導作用によって本体１の底面部６５から離間した支持位置側へ容易に装着することができると共に、支持位置で確実に保持することができる。
【００４３】
また、摺動部７０ａ〜７０ｃのガイド長さを、ヒートポンプユニット５２の支持位置においてベース５１と摺動部７０ａ〜７０ｃとの間の係合状態が外れ且つ摺動部７０ａ〜７０ｃからベース５１が離間するように設定した。これにより、ヒートポンプユニット５２の着脱の際、その着脱操作を摺動部７０ａ〜７０ｃによりスムーズに行うことができ、且つ支持位置でヒートポンプユニット５２と摺動部７０ａ〜７０ｃが接触しないため、圧縮機３１の動作時の騒音を極力抑制することができる。
【００４４】
摺動部７０ａ〜７０ｃは平面視において、直線的なレール状に形成され、当該摺動部７０ａ，７０ｂの延長線上に後側支持部６３ａ，６３ｂが位置するように構成されている。従って、ヒートポンプユニット５２の組み込み時に、その被支持部６０ａ，６０ｂを後側支持部６３ａ，６３ｂに確実に挿入することができるので、ヒートポンプユニット５２を押し込む単純な操作で支持位置に確実に誘導することができる。
【００４５】
ベースに、ヒートポンプユニットの取り出し方向手前側に位置して取手５９を設けたので、その取手５９を把持してヒートポンプユニット５２を簡単に引き出し（或は押し込む）ことができる。殊に、本実施例にあっては、支持部６３ａ〜６４ｃに対し、被支持部６０ａ〜６１ｃが何れも前後方向に対向し、且つ固定手段たる螺子６８も前方からの工具操作が可能な前後方向を指向する。従って、ヒートポンプユニット５２の着脱を、水槽１０等を取り外すことなく本体１の前面側から水平方向に行うことができ、メンテナンス性を向上させることができる。
【００４６】
ベース５１の底面に、本体１外へ取り外されたヒートポンプユニット５２を水平状態に設置するための脚部５７，５８ａ，５８ｂ，５８ｃを設けた。これによれば、特に圧縮機３１は水平に設置するのが好ましいことからヒートポンプユニット５２の保護に寄与するだけでなく、その運搬や修理等の際の作業性を向上させることができる。
【００４７】
ヒートポンプユニット５２側のリード線５２ａと本体１側のリード線１ａとをコネクタ１ｂ，５２ｂにて接続したので、ヒートポンプユニット５２の着脱の際の両リード線１ａ，５２ａの接続作業を簡単に行うことができる。また、両コネクタ１ｂ，５２ｂをヒートポンプユニット５２の取り出し方向手前側に配置したので、メンテナンス性をより高めることができる。
【００４８】
予め記憶されている複数の運転コースを選択的に実行する制御装置４１を備え、この制御装置４１は、ヒートポンプユニット５２が本体１に取り付けられていない場合、前記複数の運転コースのうちヒートポンプユニット５２を用いた運転コース以外の運転コースのみの実行が可能に構成されている。これによれば、仮にヒートポンプユニット５２が故障して取り外されていても、ヒートポンプユニット５２を用いない洗濯運転での使用を継続することができる。この場合、乾燥装置（の送風ファン２８ａ）や冷暖暖房手段が作動することがないので、無駄な電力を消費してしまう惧れもない。
【００４９】
＜第２実施例＞
図１３、図１４は、本発明の第２実施例を示すものであり、第１実施例と異なるところを説明する。図１３、図１４は夫々台板６の前方からの斜視図を示している。尚、第１実施例と同一部分には同一符号を付している。
【００５０】
本実施例におけるヒートポンプユニット７２及びカバー７３は、第１実施例のヒートポンプユニット５２及びカバー５４とは以下の点ついて相違する。即ち、カバー７３は、台板６に対し図示しない螺子により固定されている。ヒートポンプユニット７２は、この台板６上のカバー７３に対して、ベース５１の前壁部５１ｂ以外の部分が収容されるように構成されている。台板６には、摺動部７０ａ，７０ｂ，７０ｃの延長線上後方側に、補助摺動部７４ａ，７４ｂ，７４ｃが連なるように設けられている。そして、ヒートポンプユニット７２は本体１への着脱の際に、摺動部７０ａ〜７０ｃ及び補助摺動部７４ａ〜７４ｃに対して摺動し後方側までガイドされると共に支持位置において上下方向に離間する。
【００５１】
上記構成によれば、台板６に対しカバー７３が固定された状態で、ヒートポンプユニット７２が着脱される。そして、ヒートポンプユニット７２は、第１実施例と同様、支持部６３ａ〜６４ｃ及び螺子６８に対し、ブッシュ６６〜６７ｂを介して被支持部６０ａ〜６１ｃで支持されることにより、本体１の底面部６５から離間した柔支持状態で着脱可能に取り付けられるので、第１実施例と同様の効果を得ることができる。また、補助摺動部７４ａ，７４ｂ，７４ｃを後側被支持部６０ａ〜６０ｃ側まで延びるように延設したので、ヒートポンプユニット７２をより確実にガイドすることができる。
【００５２】
＜第３実施例＞
図１５は、本発明の第３実施例を示すものであり、第１実施例と異なるところを説明する。図１５は台板６と共に示すヒートポンプユニット７２の後方からの斜視図を示している。尚、第１実施例と同一部分には同一符号を付している。
【００５３】
台板６の底面部６５には、支持位置にあるヒートポンプユニット５２の下側に位置して、前後方向に延び且つ上方へ突出する複数のリブ７５が一体的に設けられている。これらのリブ７５の突出寸法は、ベース５１の底面に対して所定距離（例えば３ｍｍ）、離間するように設定されている。リブ７５は、ヒートポンプユニット５２（のベース５１）に対して通常は接触しない位置関係にあるが、この洗濯乾燥機に上下方向の衝撃が作用した場合に、ヒートポンプユニット５２を下側から受けてその衝撃を妨げる緩衝部として機能する。この構成によれば、洗濯乾燥機の搬送時等において、その落下によるヒートポンプユニット５２の破損を防止することができる。尚、図１５にのみ示すように、後側被支持部６０ａ〜６０ｃの外縁部には、肉盗み部６０ｄが設けられている。
【００５４】
本発明は上記し且つ図面に示した実施例に限定されることなく、洗濯槽兼脱水槽たる縦型回転槽を備えた縦型洗濯乾燥機にも適用できるものである。また、乾燥装置を備えた衣類乾燥機全般にも適用できるものである。摺動部７０ａ〜７０ｃは、ヒートポンプユニット５２の支持位置に対して当該ユニット５２を近接及び離間させる方向へガイドするように延設されていればよく、摺動部を全体として上下に傾くように延設する等、その延設方向や形状につき適宜変更してもよい。
【００５５】
後側支持部６３ａ〜６３ｃを誘導凹部とし後側被支持部を嵌合凸部としたが、支持部及び支持部のうち何れか一方に、少なくとも１つの誘導凹部が形成され、他方に、ヒートポンプユニット５２の支持位置で前記誘導凹部に弾性体を介して嵌合する嵌合凸部が形成されていればよい。その他、本発明は、実施に際して本発明の要旨を逸脱しない範囲で種々変更して実施できるものである。
【図面の簡単な説明】
【００５６】
【図１】本発明をドラム式の洗濯乾燥機に適用した第１実施例を示すもので、洗濯乾燥機の外観斜視図
【図２】全体の概略を示す縦断側面図
【図３】操作パネルを拡大して示す正面図
【図４】ヒートポンプユニットがカバーごと外部へ引き出された状態を、台板と共に示す斜視図
【図５】台板の平面図
【図６】ヒートポンプユニットの背面側からの斜視図
【図７】図５中、Ａ−Ａ線に沿って切断し矢視方向から見た、ヒートポンプユニット及び台板の断面図
【図８】図１２中、Ｐ１部分を拡大して示す縦断面図
【図９】図１２中、Ｐ２部分を拡大して示す縦断面図であって、（ａ）は誘導凹部の誘導過程を説明するための図で、（ｂ）はヒートポンプユニットの支持位置での柔支持状態を示す図
【図１０】ヒートポンプユニットの摺動時における摺動部近傍の拡大正面図
【図１１】（ａ）〜（ｄ）は、ヒートポンプユニットの着脱を説明するための要部の斜視図
【図１２】図５中、Ｂ−Ｂ線に沿って切断し矢視方向から見たヒートポンプユニット及び台板の断面図であって、（ａ）は摺動部を摺動するヒートポンプユニットの様子を説明する為の図、（ｂ）は支持位置で摺動部からヒートポンプユニットが離間した状態を示す図
【図１３】本発明の第２実施例を示すもので、台板にカバーを固定したままヒートポンプユニットのみを外部へ引き出した状態を示す斜視図
【図１４】カバーを固定した状態を示す台板の斜視図
【図１５】台板のリブと共に示すヒートポンプユニットの背面側からの斜視図
【符号の説明】
【００５７】
図面中、１は本体、１ａはリード線、１ｂはコネクタ、１１はドラム（回転槽）、３１は圧縮機、３２は凝縮器、３４は蒸発器、４１は制御装置（運転実行手段）、５１はベース、５２はヒートポンプユニット、５２ａはリード線、５２ｂはコネクタ、５７は圧縮機用脚部（脚部）、５８ａ，５８ｂは左側脚部（脚部）、５８ｃは右側脚部（脚部）、５９は取手、６０ａ，６０ｂ，６０ｃは後側被支持部（被支持部、嵌合凸部）、６１ａ，６１ｂ，６１ｃは前側被支持部（被支持部）、６３ａ，６３ｂ，６３ｃは後側支持部（支持部、誘導凹部）、６４ａ，６４ｂ，６４ｃは前側支持部（支持部）、６５は底面部、６６，６７ａ，６７ｂはブッシュ（弾性体）、６８は螺子（支持部）、７０ａ，７０ｂ，７０ｃは摺動部、７４ａ，７４ｂ，７４ｃは補助摺動部（摺動部）、７５はリブを示す。
【図１】
0005038974.tif 000002
【図２】
0005038974.tif 000003
【図３】
0005038974.tif 000004
【図４】
0005038974.tif 000005
【図５】
0005038974.tif 000006
【図６】
0005038974.tif 000007
【図７】
0005038974.tif 000008
【図８】
0005038974.tif 000009
【図９】
0005038974.tif 000010
【図１０】
0005038974.tif 000011
【図１１】
0005038974.tif 000012
【図１２】
0005038974.tif 000013
【図１３】
0005038974.tif 000014
【図１４】
0005038974.tif 000015
【図１５】
0005038974.tif 000016